(57)【特許請求の範囲】
【請求項１】
信号線を介して接続された複数の端末機器を監視制御する複数の主中継器と、該複数の主中継器と伝送線を介して接続され、該複数の主中継器との間で、防災情報の送受信が行われる分散火災受信機と、を備えた分散型火災報知システムにおいて、
前記複数の主中継器は、当該主中継器に接続された複数の端末機器に関する端末データを格納する主中継器メモリを備え、
前記分散火災受信機は、
受信機メモリと、
表示手段と、
電源投入時に、前記主中継器メモリに格納されている端末データの端末最終アドレスを、前記複数の主中継器に要求して取得する端末最終アドレス取得手段と、
前記主中継器の主中継器メモリに格納されている端末データを当該主中継器に要求して取得して、前記受信機メモリに格納する主中継器端末データ取得手段と、
前記受信機メモリに格納された前記主中継器の端末データを前記表示手段に表示する表示制御手段と、
を備え、
前記主中継器端末データ取得手段は、操作部から前記主中継器のノード番号、前記端末機器の端末アドレスが入力されると、入力された端末アドレスが、端末最終アドレス取得手段によって取得された、入力されたノード番号の主中継器の端末データの端末最終アドレス以内である場合に限って、入力されたノード番号の主中継器に対して、入力された端末アドレスの端末機器の端末データを要求して取得する
ことを特徴とする分散型火災報知システム。
【請求項２】
前記主中継器端末データ取得手段は、操作部から前記主中継器のノード番号、前記端末機器の端末アドレスが入力され、該ノード番号及び端末アドレスの変更入力が所定時間なされないときに、入力されたノード番号の主中継器に対して、入力された端末アドレスの端末機器の端末データのみを要求して取得することを特徴とする請求項１記載の分散型火災報知システム。
【請求項３】
前記表示制御手段は、前記表示手段に表示された前記主中継器の端末データの表示を消去するときに、前記受信機メモリに格納された主中継器の端末データを消去することを特徴とする請求項１又は２記載の分散型火災報知システム。
【発明の詳細な説明】
【技術分野】
【０００１】
本発明は、分散型火災報知システムに関し、特に、常時は、受信機メモリに各主中継器の端末データを格納することなく、必要時にのみ、主中継器の端末データを、当該主中継器から取得して格納するようにして、分散火災受信機のメモリ容量を必要最小限としたものである。
【背景技術】
【０００２】
信号線を介して接続された複数の端末機器を監視制御する複数の主中継器と、該複数の主中継器と伝送線を介して接続され、該複数の主中継器との間で、防災情報の送受信が行われる分散火災受信機と、を備えた分散型火災報知システムが知られている（例えば、特許文献１参照）。
【０００３】
分散型火災報知システムは、巨大な１つの建物や複数の建物などの広域の火災監視を行うために、各所に主中継器が分散配置され、防災センター等に分散火災受信機が配置される。管理人は、分散火災受信機の表示部を見ることによって、システム全体の状況を確認することができる。
【０００４】
この分散火災受信機は、各主中継器に接続された端末機器に関する端末データを表示して、当該端末データの設定変更、当該端末機器の各種制御（火災感知器の火災試験や被制御機器の起動制御などの各種制御等）、当該端末データの設定確認などを行える機能があり、このように各主中継器の端末データを表示する必要があるため、従来の分散火災受信機は、全ての主中継器の端末データを受信機メモリに格納していた。
【特許文献１】特開平５−２１７０８８号公報
【発明の開示】
【発明が解決しようとする課題】
【０００５】
従来の分散火災受信機は、全ての主中継器の端末データを受信機メモリに格納する必要があったので、大きなメモリ容量が必要であった。
【０００６】
本発明は、分散火災受信機のメモリ容量を低減することを目的とする。
【課題を解決するための手段】
【０００７】
この発明は、信号線を介して接続された複数の端末機器を監視制御する複数の主中継器と、該複数の主中継器と伝送線を介して接続され、該複数の主中継器との間で、防災情報の送受信が行われる分散火災受信機と、を備えた分散型火災報知システムにおいて、前記複数の主中継器は、当該主中継器に接続された複数の端末機器に関する端末データを格納する主中継器メモリを備え、前記分散火災受信機は、受信機メモリと、表示手段と、電源投入時に、前記主中継器メモリに格納されている端末データの端末最終アドレスを、前記複数の主中継器に要求して取得する端末最終アドレス取得手段と、前記主中継器の主中継器メモリに格納されている端末データを当該主中継器に要求して取得して、前記受信機メモリに格納する主中継器端末データ取得手段と、前記受信機メモリに格納された前記主中継器の端末データを前記表示手段に表示する表示制御手段と、を備え、前記主中継器端末データ取得手段は、操作部から前記主中継器のノード番号、前記端末機器の端末アドレスが入力されると、入力された端末アドレスが、端末最終アドレス取得手段によって取得された、入力されたノード番号の主中継器の端末データの端末最終アドレス以内である場合に限って、入力されたノード番号の主中継器に対して、入力された端末アドレスの端末機器の端末データを要求して取得することを特徴とする。
【０００８】
また、前記主中継器端末データ取得手段は、操作部から前記主中継器のノード番号、前記端末機器の端末アドレスが入力され、該ノード番号及び端末アドレスの変更入力が所定時間なされないときに、入力されたノード番号の主中継器に対して、入力された端末アドレスの端末機器の端末データのみを要求して取得することを特徴とする。
【０００９】
また、前記表示制御手段は、前記表示手段に表示された前記主中継器の端末データの表示を消去するときに、前記受信機メモリに格納された主中継器の端末データを消去することを特徴とする。
【発明の効果】
【００１０】
この発明は、信号線を介して接続された複数の端末機器を監視制御する複数の主中継器と、該複数の主中継器と伝送線を介して接続され、該複数の主中継器との間で、防災情報の送受信が行われる分散火災受信機と、を備えた分散型火災報知システムにおいて、前記複数の主中継器は、当該主中継器に接続された複数の端末機器に関する端末データを格納する主中継器メモリを備え、前記分散火災受信機は、受信機メモリと、表示手段と、前記主中継器の主中継器メモリに格納されている端末データを当該主中継器に要求して取得して、前記受信機メモリに格納する主中継器端末データ取得手段と、前記受信機メモリに格納された前記主中継器の端末データを前記表示手段に表示する表示制御手段と、を備えたので、分散火災受信機は、導入初期に受信機メモリに各主中継器の端末データを格納していなくても、主中継器の端末データの設定変更、主中継器に接続されている端末機器の各種制御、主中継器の端末データの設定確認などで、主中継器の端末データを表示する必要があるときに、必要な主中継器に対して、主中継器の必要な端末データを要求して取得して、受信機メモリに格納して、表示手段に表示できるので、全ての主中継器の端末データを格納していた従来に比べて、必要なメモリ容量を減らすことができる。
【００１１】
また、前記主中継器端末データ取得手段は、操作部から前記主中継器のノード番号、前記端末機器の端末アドレスが入力され、該ノード番号及び端末アドレスの変更入力が所定時間なされないときに、入力されたノード番号の主中継器に対して、入力された端末アドレスの端末機器の端末データのみを要求して取得するので、必要な主中継器の端末データのみを受信機メモリに格納することによって、必要なメモリ容量を減らすことができる。また、ノード番号及び端末アドレスの変更入力が所定時間なされないときに初めて、当該ノード番号の主中継器に対して伝送を行うので、例えば、カーソルキーなどによるインクリメント、デクリメント操作の変更入力途中での不要な伝送をなくして、伝送トラフィックを軽減できる。
【００１２】
また、前記表示制御手段は、前記表示手段に表示された前記主中継器の端末データの表示を消去するときに、前記受信機メモリに格納された主中継器の端末データを消去するので、不要になった端末データを消去することによって、必要なメモリ容量を減らすことができる。
【発明を実施するための最良の形態】
【００１３】
発明を実施するための最良の形態は、以下の実施例である。
【実施例１】
【００１４】
図１は本発明の実施例１である分散型火災報知システムのシステム系統図、図２は分散火災受信機の構成を示すブロック図、図３は主中継器の構成を示すブロック図、図４は分散火災受信機の記憶部の構成を示す図、図５は主中継器の記憶部の構成を示す図、図６は分散火災受信機の動作を示すフローチャート、図７は主中継器の動作を示すフローチャートである。
【００１５】
図１に示すように、分散型火災報知システムは、ホスト機器としての分散型火災受信機ＲＥ（以下、火災受信機ＲＥという）及び複数の主中継器ＬＭが個別のノード番号＃１〜＃５を付与されて、伝送線（以下、ＬＡＮという）を介して接続されている。火災受信機ＲＥ及び複数の主中継器ＬＭには、信号線Ｌを介して、個別の端末アドレスＡＤが付与された端末機器が接続されている。端末機器は、火災感知器Ｓ、被制御機器（地区音響装置としての地区ベルＢ、防火戸などの防排煙機器ＥＲ）、などによって構成される。
【００１６】
火災受信機ＲＥ及び各主中継器ＬＭは、信号線Ｌを介して、それぞれに接続された端末機器を監視制御し、また、火災受信機ＲＥと複数の主中継器ＬＭとの間で、ＬＡＮを介して、端末機器などから収集した防災情報の送受信が行われて、これにより、ホスト機器間で防災情報が共有できるようになっている。
【００１７】
なお、図１に示す例では、ある1棟の建物内において、火災受信機ＲＥを１階、＃２の主中継器ＬＭを２階、＃３の主中継器ＬＭを３階、＃４の主中継器ＬＭを４階、＃５の主中継器ＬＭを５階に分散配置して、それぞれの階の監視区域を監視制御することにより、巨大な１つの建物の火災監視を行うものとして説明するが、それぞれのホスト機器を複数の棟に分散配置して、複数の建物などの広域の火災監視を行うようにすることもできる。
【００１８】
図２は分散火災受信機ＲＥの構成を示すブロック図である。図において、１０は信号線Ｌを介して火災感知器Ｓや被制御機器などの端末機器が複数接続される端末インターフェース、１１は他のホスト機器と接続するためのＬＡＮインターフェース、１２は表示手段の一例である表示部、１３は操作部、１４は受信機メモリの一例であり、自機に必要な各種設定情報などを記憶する記憶部、１５は主中継器端末データ取得手段及び表示制御手段の一例であり、火災受信機全体を制御する制御部である。
【００１９】
図３は主中継器ＬＭの構成を示すブロック図であり、一例として、＃５の主中継器ＬＭを例に挙げて説明するが、その他の主中継器ＬＭも同様な構成である。図において、２０は信号線Ｌを介して火災感知器Ｓや被制御機器などの端末機器が複数接続される端末インターフェース、２１は他のホスト機器と接続するためのＬＡＮインターフェース、２４は主中継器メモリの一例であり、自機に必要な各種設定情報などを記憶する記憶部、２５は主中継器全体を制御する制御部である。
【００２０】
つぎに、本発明の要部であるホスト機器の記憶部１４、２４について詳細に説明する。図４は分散火災受信機ＲＥの記憶部１４の構成を示す図であり、図４（ａ）は記憶部１４全体の構成を示す図であり、図４（ｂ）は初期データ記憶領域１６の詳細を示す図である。火災受信機ＲＥの記憶部１４は、図４（ａ）に示すように、フラッシュメモリなどの不揮発性記憶媒体が用いられる初期データ記憶領域１６とＲＡＭなどの揮発性記憶媒体が用いられる作業領域１７とを有する。
【００２１】
初期データ記憶領域１６には、自ノード番号を格納する自ノード番号記憶領域１６ａ、ＬＡＮに接続されるホスト機器のノード番号及びノード種別を格納するネットワークデータ記憶領域１６ｂ、システム内の各ホスト機器で共通のシステムデータを格納するシステムデータ記憶領域１６ｃ、自機に信号線Ｌを介して接続される端末機器の端末データを格納する端末データ記憶領域１６ｄ、自機に信号線Ｌを介して接続される端末機器の端末連動テーブルを格納する端末連動テーブル記憶領域１６ｅを有する。
【００２２】
システムデータ記憶領域１６ｃには、システムデータとして、例えば、物件名称、地区音響逐次鳴動時間、地区音響拡大警報時間、蓄積時間自動変更機能有無が設定記憶されている。地区音響逐次鳴動時間には、操作部１３の地区ベル停止スイッチ（不図示）のオンによって、火災感知器Ｓが発報のときに鳴動した地区ベルＢが鳴動停止状態になったときから再鳴動するまでの鳴動停止解除時間が設定記憶され、地区音響拡大警報時間には、地区ベルＢの出火階鳴動から全階鳴動へ移行するまでの待ち時間が設定記憶され、蓄積時間自動変更有無には、操作部１３からの入力操作により、火災感知器Ｓが火災検出から発報（火災確定）とするまでの蓄積時間を設定変更可能とするか否か（有無）が設定記憶されている。
【００２３】
端末データ記憶領域１６ｄには、自機に信号線Ｌを介して接続される端末機器の端末アドレスＡＤに対応して、当該端末機器の端末データとして、例えば、煙感知器、熱感知器、地区ベル、防排煙機器などの端末機器の種別（ＩＤ）、火災感知器Ｓの火災検出閾値である感度レベル（ＫＬ）、火災感知器Ｓが火災検出から発報（火災確定）とするまでの蓄積時間、棟階番、端末機器の設置場所名などを設定記憶するオプションメッセージ（ＯＰメッセージ）、などが格納されている。
【００２４】
端末連動テーブル記憶領域１６ｅには、自機に信号線Ｌを介して接続される端末機器の端末連動テーブルとして、連動元の端末機器の端末アドレスＡＤに対応して、連動先の端末機器の端末アドレスＡＤが格納されている。これにより、連動元の端末機器の作動により連動先の端末機器を起動制御することができる。
【００２５】
図５は主中継器ＬＭの記憶部２４の構成を示す図であり、図５（ａ）は記憶部２４全体の構成を示す図であり、図５（ｂ）は初期データ記憶領域２６の詳細を示す図である。一例として、＃５の主中継器ＬＭを例に挙げて説明するが、その他の主中継器ＬＭも同様な構成である。
【００２６】
＃５の主中継器ＬＭの記憶部２４は、火災受信機ＲＥの記憶部１４の構成と同様であり、図５（ａ）に示すように、フラッシュメモリなどの不揮発性記憶媒体が用いられる初期データ記憶領域２６とＲＡＭなどの揮発性記憶媒体が用いられる作業領域２７とを有する。そして、初期データ記憶領域２６には、自ノード番号を格納する自ノード番号記憶領域２６ａ、ＬＡＮに接続されるホスト機器のノード番号及びノード種別を格納するネットワークデータ記憶領域２６ｂ、システム内の各ホスト機器で共通のシステムデータを格納するシステムデータ記憶領域２６ｃ、自機に信号線Ｌを介して接続される端末機器の端末データを格納する端末データ記憶領域２６ｄ、自機に信号線Ｌを介して接続される端末機器の端末連動テーブルを格納する端末連動テーブル記憶領域２６ｅを有する。そして、自ノード番号記憶領域２６ａ、端末データ記憶領域２６ｄ、端末連動テーブル記憶領域２６ｅについては、火災受信機ＲＥの対応する記憶領域１６ａ、１６ｄ、１６ｅと同じ構成であるが、その格納される内容は異なり、自機に関する内容になっている。また、ネットワークデータ記憶領域２６ｂ、システムデータ記憶領域２６ｃについては、火災受信機ＲＥの対応する記憶領域１６ｂ、１６ｃの内容と同じである。なお、システムデータ、端末データ、端末連動テーブルについては、火災受信機ＲＥの記憶部１４と同様なので詳細な説明を省略する。
【００２７】
以上のような構成の分散型火災報知システムでは、例えば、＃５の主中継器ＬＭが自機の端末機器ＡＤ１の状態変化（例えば、火災検知）を検出すると、＃５の主中継器ＬＭは自ノード番号＃５を付与して、状態変化した端末機器の状態情報（火災情報）を、当該端末データ（端末アドレスＡＤ、種別ＩＤ、感度レベルＫＬ、蓄積時間、棟階番、ＯＰメッセージ）と共にＬＡＮ上に送出し、その状態情報をＬＡＮを介して火災受信機ＲＥが受信すると、火災受信機ＲＥは、その状態情報をノード番号＃、端末データと共に作業領域１７に格納し、表示部１２に表示するので、管理人は、システム内での状態変化を確認できる。
【００２８】
ここで、上記のように端末機器が状態変化した場合以外で、主中継器ＬＭの端末データの設定変更、主中継器ＬＭに接続されている端末機器の各種制御、主中継器ＬＭの端末データの設定確認などで、各主中継器ＬＭの端末データを表示部１２に表示する必要があるときに、火災受信機ＲＥは、図４に示すように、記憶部１４の端末データ記憶領域１６ｄ内に、各主中継器ＬＭの端末データを持ち合わせていないので、必要とする各主中継器ＬＭの端末データを表示部１２に表示することができないが、本発明では、火災受信機ＲＥ及び主中継器ＬＭが以下のように動作することにより、火災受信機ＲＥは、必要とする各主中継器ＬＭの端末データを取得して表示部１２に表示することができる。
【００２９】
図６は火災受信機ＲＥの動作を示すフローチャートであり、図７は主中継器の動作を示すフローチャートである。なお、ここでは、一例として、主中継器ＬＭの端末データの設定変更作業、特に、主中継器ＬＭ（＃５）の端末アドレスＡＤ１の蓄積時間の設定変更作業を例に挙げて説明する。
【００３０】
図６において、火災受信機ＲＥは、操作部１３の操作入力によって、他機の端末機器の端末データ設定変更画面への切換操作があると（Ｓ１００）、他機の端末機器の端末データ設定変更画面を表示部１２に表示する（Ｓ１１０）。なお、端末データ設定変更画面は、例えば、「ノード番号＃、端末アドレスＡＤ」の指定操作により、対応する「種別ＩＤ、感度レベルＫＬ、蓄積時間、棟階番、ＯＰメッセージ」を表示する画面であり、例えば、指定先のデフォルトとして、「ノード番号＃２、端末アドレスＡＤ１」が表示される。ここで、対応する「種別ＩＤ、感度レベルＫＬ、蓄積時間、棟階番、ＯＰメッセージ」は、記憶部１４に格納されていないので、表示されない。
【００３１】
ここで、ノード番号＃５、端末アドレスＡＤ１の指定操作、例えば、操作部１３のカーソルキーなどによるインクリメント、デクリメント操作等が行われ、このノード番号＃、端末アドレスＡＤの指定操作によって、これらに変更が生じた場合は（Ｓ１２０）、変更されたノード番号＃、端末アドレスＡＤを表示部１２に表示し（Ｓ１３０）、変更操作から所定時間（例えば２秒）が経過していなければ（Ｓ１４０）、Ｓ１２０に戻る。そして、変更操作から所定時間経過したときに初めて（Ｓ１２０→Ｓ１４０）、ノード番号＃、端末アドレスＡＤを指定して、端末データ要求信号を主中継器ＬＭ（＃５）に向けてＬＡＮ上に送出する（Ｓ１５０）。つぎに、要求した端末データを主中継器ＬＭ（＃５）から受信したならば（Ｓ１６０）、その端末データをノード番号＃と共に作業領域１７に格納し（Ｓ１７０）、取得した端末データ（種別ＩＤ「煙」、感度レベルＫＬ「２種」、蓄積時間「３０秒」、棟階区番「１−５−１」、ＯＰメッセージ「５階会議室」）を表示部１２に表示する（Ｓ１８０）。
【００３２】
そして、端末データの変更確定操作、例えば、蓄積時間を２０秒へ変更するなどの変更入力がなされた場合は（Ｓ１９０）、ノード番号＃５、端末アドレスＡＤ１を指定して、変更された端末データ（蓄積時間「２０秒」）の端末データ変更命令を主中継器ＬＭ（＃５）に向けてＬＡＮ上に送出する（Ｓ２００）。そして、端末データ設定変更画面終了操作があれば（Ｓ２１０）、端末データ設定変更画面を消去すると共に、作業領域１７に格納されている端末データを消去する（Ｓ２２０）。
【００３３】
一方、＃５の主中継器ＬＭは、図７に示すように、Ｓ１５０による火災受信機ＲＥから送出された、自機の端末機器ＡＤ１の端末データの要求信号を受信したならば（Ｓ３００）、自ノード番号＃５を付与して、要求された端末機器ＡＤ１の端末データ（種別ＩＤ「煙」、感度レベルＫＬ「２種」、蓄積時間「３０秒」、棟階番「１−５−１」、ＯＰメッセージ「５階会議室」）を火災受信機ＲＥに向けてＬＡＮ上に送出する（Ｓ３１０）。また、Ｓ２００による火災受信機ＲＥから送出された、自機の端末機器ＡＤ１の端末データ（蓄積時間「２０秒」）の変更命令を受信したら（Ｓ３２０）、要求された端末機器の端末データを変更して端末データ記憶領域２６ｄに格納する（Ｓ３３０）。なお、これに続いて、主中継器ＬＭ（＃５）が変更完了信号を火災受信機ＲＥに向けてＬＡＮ上に送出し、この変更完了信号を火災受信機ＲＥが受信することで、変更完了を確認できるようにしてもよい。
【００３４】
上記フローチャートは、主中継器ＬＭの端末データの設定変更作業として、蓄積時間を例にあげて説明したが、感度レベルＫＬなどのそれ以外の端末データとしてもよい。
【００３５】
また、主中継器ＬＭの端末データの設定変更作業時を例として挙げたが、主中継器ＬＭに接続されている端末機器の各種制御作業時、主中継器ＬＭの端末データの設定確認作業時であってもよい。主中継器ＬＭに接続されている端末機器の各種制御としては、火災感知器Ｓの火災試験や防排煙機器ＥＲの起動制御などが挙げられる。また、主中継器ＬＭの端末データの設定確認作業としては、端末アドレス表表示（端末データ一覧表表示）などが挙げられる。
【００３６】
なお、図６のＳ１２０において、上記各主中継器ＬＭに接続される端末機器の端末最終アドレスＡＤＺよりも大きい端末アドレスＡＤが指定された場合に、Ｓ１５０において端末データ要求信号をＬＡＮ上に送出しても無駄であるため、制御部１５は、電源投入時に、各主中継器ＬＭに対して、当該主中継器ＬＭの端末データの端末最終アドレスＡＤＺを要求して取得して、受信機メモリ（記憶部１４の作業領域１７）に格納し、また、Ｓ１２０において、操作部１３から主中継器のノード番号＃、端末機器の端末アドレスＡＤが入力されたときに、入力された端末アドレスＡＤが入力されたノード番号＃の主中継器ＬＭの端末データの端末最終アドレスＡＤＺ以内である場合に限って、入力されたノード番号＃の主中継器ＬＭに対して、入力された端末アドレスＡＤの端末機器の端末データのみを要求して取得するようにしてもよく、これによれば、より不要な伝送をなくして、伝送トラフィックを軽減できる。
【００３７】
上記実施例によれば、信号線Ｌを介して接続された複数の端末機器を監視制御する複数の主中継器ＬＭと、該複数の主中継器ＬＭと伝送線としてのＬＡＮを介して接続され、該複数の主中継器ＬＭとの間で、防災情報の送受信が行われる分散火災受信機ＲＥと、を備えた分散型火災報知システムにおいて、前記複数の主中継器ＬＭは、当該主中継器ＬＭに接続された複数の端末機器に関する端末データを格納する主中継器メモリとしての記憶部２４を備え、前記分散火災受信機ＲＥは、受信機メモリとしての記憶部１４と、表示手段としての表示部１２と、前記主中継器ＬＭの主中継器メモリ２４に格納されている端末データを当該主中継器ＬＭに要求して取得して、前記受信機メモリ１４に格納する主中継器端末データ取得手段としての制御部１５と、前記受信機メモリ１４に格納された前記主中継器ＬＭの端末データを前記表示手段１２に表示する表示制御手段としての制御部１５と、を備えたので、分散火災受信機ＲＥは、導入初期に受信機メモリ１４に各主中継器ＬＭの端末データを格納していなくても、主中継器ＬＭの端末データの設定変更、主中継器ＬＭに接続されている端末機器の各種制御、主中継器ＬＭの端末データの設定確認などで、主中継器ＬＭの端末データを表示する必要があるときに、必要な主中継器ＬＭに対して、主中継器ＬＭの必要な端末データを要求して取得して、受信機メモリ１４に格納して、表示手段１２に表示できるので、全ての主中継器ＬＭの端末データを格納していた従来に比べて、必要なメモリ容量を減らすことができる。
【００３８】
また、前記主中継器端末データ取得手段１５は、操作部１３から前記主中継器ＬＭのノード番号＃、前記端末機器の端末アドレスＡＤが入力され、該ノード番号＃及び端末アドレスＡＤの変更入力が所定時間なされないときに、入力されたノード番号＃の主中継器ＬＭに対して、入力された端末アドレスＡＤの端末機器の端末データのみを要求して取得するので、必要な主中継器ＬＭの端末データのみを受信機メモリ１４に格納することによって、必要なメモリ容量を減らすことができる。また、ノード番号＃及び端末アドレスＡＤの変更入力から所定時間経過して初めて、当該ノード番号＃の主中継器ＬＭに対して伝送を行うので、例えば、カーソルキーなどによるインクリメント、デクリメント操作の変更入力途中での不要な伝送をなくして、伝送トラフィックを軽減できる。
【００３９】
また、前記表示制御手段１５は、前記表示手段１２に表示された前記主中継器ＬＭの端末データの表示を消去するときに、前記受信機メモリ１４に格納された主中継器ＬＭの端末データを消去するので、不要になった端末データを消去することによって、必要なメモリ容量を減らすことができる。
【図面の簡単な説明】
【００４０】
【図１】本発明の実施例１である分散型火災報知システムのシステム系統図である。
【図２】分散火災受信機の構成を示すブロック図である。
【図３】主中継器の構成を示すブロック図である。
【図４】分散火災受信機の記憶部の構成を示す図である。
【図５】主中継器の記憶部の構成を示す図である。
【図６】分散火災受信機の動作を示すフローチャートである。
【図７】主中継器の動作を示すフローチャートである。
【符号の説明】
【００４１】
ＲＥ…分散火災受信機、ＬＭ…主中継器、ＬＡＮ…伝送線、Ｌ…信号線、Ｓ…火災感知器、Ｂ…地区ベル（地区音響装置）、ＥＲ…防排煙機器、１０…端末インターフェース、１１…ＬＡＮインターフェース、１２…表示部、１３…操作部、１４…記憶部（受信機メモリ）、１５…制御部（主中継器端末データ取得手段、表示制御手段）、１６…初期データ記憶領域（不揮発性記憶媒体）、１６ａ…自ノード番号記憶領域、１６ｂ…ネットワークデータ記憶領域、１６ｃ…システムデータ記憶領域、１６ｄ…端末データ記憶領域、１６ｅ…端末連動テーブル記憶領域、１７…作業領域（揮発性記憶媒体）、２０…端末インターフェース、２１…ＬＡＮインターフェース、２４…記憶部（主中継器メモリ）、２５…制御部、２６…初期データ記憶領域（不揮発性記憶媒体）、２６ａ…自ノード番号記憶領域、２６ｂ…ネットワークデータ記憶領域、２６ｃ…システムデータ記憶領域、２６ｄ…端末データ記憶領域、２６ｅ…端末連動テーブル記憶領域、２７…作業領域（揮発性記憶媒体）。
【図１】
0005048406.tif 000002
【図２】
0005048406.tif 000003
【図３】
0005048406.tif 000004
【図４】
0005048406.tif 000005
【図５】
0005048406.tif 000006
【図６】
0005048406.tif 000007
【図７】
0005048406.tif 000008